(57)【要約】【課題】  本発明の目的は、屋外に設置されたコンテナや簡易倉庫等、商用電力の供給が困難な条件下で、ファンモーター等を廻して内部の換気と冷却を行うとともに、コンテナのドアが開けられた時には、ライトを点灯させ、警報を鳴らすことである。【解決手段】  コンテナの天井や壁面等、太陽光を受光できる場所に太陽電池を取り付け、コンテナ内部に給電するとともに、太陽電池出力はバッテリーや電気二重層キャパシターに接続されて、夜間においても給電が可能とする。ファンモーター等の換気・冷却設備は、太陽電池が発電中は給電され、太陽電池が発電を中止すると停止するように制御される。さらにドアセンサが、ドアが開けられたことを感知するとライトが点灯し、警報装置を鳴らす。【選択図】      図１
2005192378.tif 000002
【特許請求の範囲】
【請求項１】
コンテナもしくは簡易倉庫において、太陽光を受光して発電する太陽電池と、当該太陽電池の発電した電力を蓄積するバッテリーもしくは電気二重層キャパシター等による第１の蓄電装置と当該コンテナもしくは簡易倉庫を換気し冷却するためのファンモーター等の換気装置とその他の電気設備から成り、当該ファンモーター等の換気装置は当該太陽電池が発電中の時にのみ動作させ、それ以外の時は停止させることを特徴とするコンテナや簡易倉庫のための太陽電池による電気系統システム
【請求項２】
請求項１において、簡易倉庫の内部を照らす照明装置と，当該照明装置に当該蓄電装置からの電力供給を制御するスイッチ機能とドアの開放状態を検知するドアセンサを付加し、当該ドアセンサがドアの開放状態を検知した時にスイッチ機能により自動的に当該照明装置に電力を供給し、内部を点灯することを特徴とするコンテナや簡易倉庫のための太陽電池による電気系統システム
【請求項３】
請求項２において、当該第１の蓄電装置の出力を警報装置の電源入力に接続し、当該ドアセンサの情報を当該警報装置に入力し、当該ドアセンサがドアの開放状態を検知した時に警報装置を鳴らすことを特徴とするコンテナや簡易倉庫のための太陽電池による電気系統システム
【請求項４】
請求項１において当該照明装置に換えて用いる携帯用照明装置であり、内部にバッテリーもしくは電気二重層キャパシターによる第２の蓄電装置を有し、当該第２の蓄電装置へは接続コネクターを介して外部から電力が供給され、電力が供給されている時は消灯し、電力の供給が停止すると、当該第２の蓄電装置に蓄積された電力によって自動的に点灯することを特徴とする携帯用照明装置
【発明の詳細な説明】
【技術分野】
【０００１】  本発明は、空き地等に設置され商用電力による給電が困難なコンテナや簡易倉庫のための太陽電池による給電方法及び当該電力の利用方法に関するものであり、その換気方法、照明方法等に関するものである。
【背景技術】
【０００２】  空き地等にコンテナや簡易倉庫を設置して物品等の収納に利用することは良く行われる。しかしながらこのような設備には、商用電力を引き込むのが困難なことが一般的であり、通常電力の無い状態で使用しているのが現状である。
【発明の開示】
【発明が解決しようとする課題】
【０００３】  本発明の目的は、平地等に仮設され商用電力による給電が困難なコンテナや簡易倉庫に太陽電池を設置し、当該太陽電池が供給する電力によりファンモーターを動作させて換気を行うと伴に、コンテナ内における夏の暑さを和らげることである。【０００４】  さらにバッテリーや電気二重層キャパシター等の蓄電装置により電力を蓄積し、夜間の照明や、警報装置への給電を行うと伴に、発電された動力の有効利用を図るものである。
【課題を解決するための手段】
【０００５】  本発明においては、コンテナや簡易倉庫の天井や壁面等、太陽光を充分受光できる場所に太陽電池を取り付ける。太陽電池で発電された電力は、逆流防止ダイオードを経由してバッテリーもしくは電気二重層キャパシター等による蓄電装置Ａに加えられ、当該太陽電池で発電した電力を蓄積する。【０００６】  コンテナや簡易倉庫には、ファンモーターやブロアー等の換気装置が１台もしくは複数台取り付けられており、蓄電装置ＡからスイッチＡを経由して電力の供給を受けている。スイッチＡは、太陽電池が発電していて充分な電力が出力されている時はコントローラＡによってオン状態に制御され、それ以外の時はオフ状態に制御される。【０００７】  さらに蓄電装置Ａの出力は、スイッチＢを経由して照明装置に電力を供給しており、スイッチＢは通常はオフ状態にある。コンテナの入り口のドアにはセンサが取り付けられており、ドアが開けられるとセンサがオンする。ドアが開けられて当該センサがオンすると、コントローラＢは前記スイッチＢをオン状態にして照明装置Ａを点灯させる。【０００８】  さらに蓄電装置Ａの出力はコンテナや簡易倉庫の内部に取り付けられた警報装置へも接続されており電力を供給する。当該ドアセンサの情報は警報装置にも入力されており、ドアが開けられたことを検出すると警報を鳴らす。【０００９】  なお、前記コンテナや簡易倉庫に取り付けられたファンモーターやブロアー等の換気装置は、蓄電装置Ａを使用せず、太陽電池出力に直接接続して電力を供給することも可能である。これによって、スイッチＡとコントローラＡは不要となる。太陽電池の出力電圧は変動するが充分実用的である。【００１０】  前記照明装置は、懐中電灯のような可搬形の照明装置とすることも可能である。当該可搬型の照明装置は自身も内部に第２の蓄電装置Ｂを持ち、スイッチＣを介してランプ等の発光部分に接続されている。当該蓄電装置Ｂは接続コネクタを介して外部の電源と接続可能な構造となっている。【００１１】  当該蓄電装置Ｂは接続コネクタを介して外部の電源と接続されて充電中の時は、スイッチＣはオフ状態となり当該照明装置は発光しない。当該接続コネクタが抜かれるか、当該接続コネクタへの入力電力が無くなると、スイッチＣはオン状態となり発光する。【００１２】  当該可搬型の照明装置を用いた場合、前記蓄電装置Ａの出力を照明装置に接続するスイッチＢは通常はオン状態で、第２の蓄電装置Ｂを充電する。この時当該可搬型の照明装置は消灯状態である。【００１３】  ドアが開けられてセンサがオンした時には、照明装置Ａを用いた場合と反対にスイッチＢはオフ状態になる。これによって当該可搬型の照明装置は点灯する。また、当該接続コネクタが抜かれても同じように点灯する。これにより、ドアを開けて人間が入ってくると当該可搬型の照明装置は点灯し、さらにその人間は当該可搬型の照明装置をコネクタを抜いて手に持ち、コンテナの中を探すことが可能となる。
【発明の効果】
【００１４】  本発明によって商用電力による給電が困難なコンテナや簡易倉庫においても、太陽電池による給電が可能となり、夏の暑い時期にも換気装置により暑さを和らげることが可能となる。さらに、太陽電池が発電しない夜間においても蓄電装置に蓄積された電力により照明を用いることが可能となり、警報装置を取り付けた場合は、その動作を保証することが可能となる。【００１５】  また太陽電池が発電しない夜間は換気装置が停止するので、昼間蓄電装置に蓄積された電気エネルギーを有効に活用することが可能となり、過負荷によって蓄電装置の出力が低下するのを防ぐことができる。【００１６】  また照明装置を可搬型の照明装置に変えれば、人間がドアを開けて内部へ入った時に照明があるのみでなく、当該該可搬型の照明装置を持ち歩くことにより、夜間の内部での作業を容易にすることができる。
【発明を実施するための最良の形態】
【００１７】  本発明を実施するための最良の形態は、太陽電池の出力を逆流防止ダイオードを経由して蓄電装置Ａに蓄積し、スイッチＡを介して太陽電池から充分な電力が得られるときのみ換気装置を動作させる方法である。【００１８】  さらに当該蓄電装置Ａに蓄積された電力は、スイッチＢを介して照明装置に加えられ、ドアセンサがドアの開放を検知した時に自動的に点灯し、同時に警報装置を鳴らす方法である。
【実施例１】
【００１９】  図１は本発明の最良の形態による実施例であり、請求項１と請求項２に関するものである。１はコンテナや簡易倉庫に設置された太陽電池であり２の逆流防止ダイオードを経由して３の蓄電装置Ａに接続されて発電した電力を蓄積する。【００２１】  ３の蓄電装置Ａは４のスイッチＡを経由してファンモーター等の換気装置６に電力を供給する。４のスイッチＡは５のコントローラＡによって開閉を制御される。５のコントローラＡは、太陽電池の発電状態を監視するために太陽電池の出力電圧をモニターし、当該出力電圧が基準値以上の時は、４のスイッチＡを閉じて換気装置６に電力を供給して動作させ、基準値以下の時は４のスイッチＡを解放して換気装置６を停止させる。なお、太陽電池の発電状態の監視は、ホール素子等を用いて電流で監視することも可能である。【００２２】  さらに３の蓄電装置Ａは７のスイッチＢを経由して照明装置８に接続される。７のスイッチＢは通常は開いた状態であるが１０のコントローラＢによって開閉される。コンテナや簡易倉庫には、ドアの開閉を検知するドアセンサ９が取り付けられており、当該ドアセンサ９がドアの開放を検知すると、１０のコントローラＢは７のスイッチＢを閉じて照明装置８を点灯する。【００２３】  さらに３の蓄電装置Ａは警報装置１１にも接続され、電力を供給している。当該ドアセンサ９の情報は当該警報装置１１にも入力されており、ドアが開放されるとアラー厶を鳴らす。【００２４】  図１においては、ファンモーター等の換気装置６の電力は、４のスイッチＡを経由して、３の蓄電装置Ａから供給されているが、当該４のスイッチＡを経由せず、１の太陽電池出力から直接電力供給を受けることも可能である。これにより換気装置６は、電圧が変動はするが実用上は問題なく動作する。
【実施例２】
【００２５】  図２は本発明の他の実施例であり、図１に示す８の照明装置Ａに換えて１３の携帯用照明装置Ｂを用いている。１２は携帯用照明装置Ｂに電力を供給するためのコネクタであり、７のスイッチＢにより電力を供給する。図１のシステムとは反対に、７のスイッチＢは通常は閉じた状態であり当該携帯用照明装置Ｂに常に電力を供給している。コンテナや簡易倉庫に取り付けられた９のドアセンサがドアの開放を検知すると、１０のコントローラＢは７のスイッチＢを開いて１３の携帯用照明装置Ｂへの給電を停止する。【００２５】  図３は、当該携帯用照明装置Ｂの内部構成である。１４は前記コネクタ１２と対になって接続されるコネクタである。１３は蓄電装置Ｂであり通常は７のスイッチＢを経由して蓄電されている。１６はスイッチＣでありライトや発光ダイオード等の照明部品１８に接続されている。当該スイッチＣは通常は解放状態にあり、当該照明部は消灯状態にある。【００２６】  １７のコントローラＣは、当該１３の蓄電装置Ｂに電力が入力されているかを監視しており、電力の供給が停止すると１６のスイッチＣを閉じて１３の蓄電装置Ｂから電力を供給し当該照明部を点灯させる。これによってドアが開放されたときには、前述したように、７のスイッチＢが解放状態に電力の供給が停止され、当該携帯用照明装置Ｂが点灯状態となる。【００２７】  当該携帯用照明装置Ｂは、コネクタ１２から外して持ち歩くことができるが、この時も電力の供給が停止されたままであるので、当該携帯用照明装置Ｂは点灯状態にある。
【図面の簡単な説明】
【００２８】
【図１】コンテナや簡易倉庫向け電気系統システムの実施例１の構成図
【図２】コンテナや簡易倉庫向け電気系統システムで、携帯用照明装置を用いた場合の実施例２の構成図
【図３】実施例２に関する携帯用照明装置の構成図
【符号の説明】
【００２９】  １  コンテナや簡易倉庫に設置された太陽電池
２  逆流防止ダイオード
３  蓄電装置Ａ
４  スイッチＡ
５  コントローラＡ
６  換気装置
７  スイッチＢ
８  照明装置
９  ドアセンサ
１０  コントローラＢ
１１  警報装置
１２  コネクタ
１３  携帯用照明装置
１４  コネクタ
１５  蓄電装置Ｂ
１６  スイッチＣ
１７  コントローラＣ
１８  照明部品
【図１】
2005192378.tif 000003
【図２】
2005192378.tif 000004
【図３】
2005192378.tif 000005